(57)【要約】      （修正有）【課題】小分けに対応することができ、容器から取り出した食品をさらに小分けする場合、等分ずつ同一形状に分けることができるゲル状食品用包装容器を提供する。【解決手段】開口部が底面３よりもやや広く周壁４に勾配がついた複数個の容器本体１Ａが、各容器本体１Ａの開口部の外周縁から延設された施蓋用鍔部５を介して連結されるとともに、施蓋用鍔部５に形成された切断ガイド線６から切断分離可能とされたゲル状食品用包装容器１である。容器本体１Ａの周壁４には、開口部に沿って外方に広がる段部９が形成される一方、容器本体１Ａの底面３には、容器本体１Ａ内に膨出する膨出部１１が少なくとも２ヶ所に亘って均等に形成されるとともに、容器本体１Ａ内に突出する突条部１２が、底面３の膨出部１１同士の中間から周壁４の段部９にかけて形成されている。【選択図】図１
0003190593.tif 000002
【実用新案登録請求の範囲】
【請求項１】
開口部が底面よりもやや広く周壁に勾配がついた複数個の容器本体が、各容器本体の開口部の外周縁から延設された施蓋用鍔部を介して連結されるとともに、該施蓋用鍔部に形成された切断ガイド線から切断分離可能とされたゲル状食品用包装容器であって、
前記容器本体の周壁には、前記開口部に沿って外方に広がる段部が形成される一方、前記容器本体の底面には、容器本体内に膨出する膨出部が少なくとも２ヶ所に亘って均等に形成されるとともに、前記容器本体内に突出する突条部が、前記底面の膨出部同士の中間から前記周壁の段部にかけて形成されたことを特徴とするゲル状食品用包装容器。
【請求項２】
請求項１に記載のゲル状食品用包装容器において、
前記周壁は複数のコーナー部を有し、該コーナー部における前記段部に外方に突出する突出部が形成されたことを特徴とするゲル状食品用包装容器。
【考案の詳細な説明】
【技術分野】
【０００１】
本考案は、例えば、豆腐、プリン、ムース、杏仁豆腐といったゲル状食品の包装に適したゲル状食品用包装容器に関する。
【背景技術】
【０００２】
豆腐は今や工業的に量産されており、その多くは、成形容器を兼ねた包装容器に豆乳と凝固剤とを一緒に流し込んでから加熱して固めた充填豆腐である。充填豆腐は保存性に優れていることから、スーパーマーケット等の量販店の店頭に多く見られる。
【０００３】
このような豆腐を冷奴として食する場合は、容器の開口部を下にして食器に移し、その状態で上面にネギ、おろし生姜、鰹節等を載せ、その上から醤油やポン酢等の液体調味料を掛けて食すのが一般的である。
【０００４】
ところが、容器の多くは底面が平らであるため、成形される豆腐の上面も平らとなることから、食する時に掛ける液体調味料が豆腐の上面からすぐに食器上に流れ落ちてしまい、往々にして液体調味料を掛け過ぎてしまうといった不都合があった。
【０００５】
そこで、従来、豆腐の上面に液体調味料を溜めるための凹陥部を形成し得るよう、底面に容器内に膨出する膨出部を形成した容器が種々提案されている（例えば、特許文献１〜４参照）。
【０００６】
ところで、豆腐は、通常、一丁単位で販売される。ところが、最近増加している一人暮らしの家庭では、一丁の豆腐は一度に食する量としては多いことから、これを複数回に分けて食することができるよう、一丁の豆腐を半分ずつ又は四分の一ずつに小分けした状態で包装する容器が提案されている（例えば、特許文献５参照）。
【先行技術文献】
【特許文献】
【０００７】
【特許文献１】実開昭５１−１８３９５号公報
【特許文献２】実開平２−１３４８８５号公報
【特許文献３】実用新案登録第３０５３８７７号公報
【特許文献４】実用新案登録第３０８４４９８号公報
【特許文献５】実開昭６０−１５４２８３号公報
【考案の概要】
【考案が解決しようとする課題】
【０００８】
従来、豆腐の上面に液体調味料を溜めるための凹陥部を形成することと、一丁の豆腐を小分けして包装することの両方を同時に満足する容器は未だ提案されていない。この点に関しては、特許文献５に開示されたような容器に、特許文献１〜４に開示されたような凹陥部を採用することが考えられる。
【０００９】
しかしながら、そのような単に凹陥部を設けただけの小分け容器では、容器同士を多数個スタックした場合、容器同士が全面に亘って密着するうえ、単一容器に比べて重なり合う容器の数が多いためスタック状態から容器を１個ずつ取り出すことが困難であるのに、凹陥部がある分さらに容器同士の接触面積が多く密着度合いが増すため、スタック状態からの取り出しがより困難になるといった不都合がある。このような不都合があると、豆腐の製造において装置への容器の装填工程で容器を１個ずつ円滑に供給することができないといった不具合が発生し、このため生産効率が落ちるといった問題が生じる。
【００１０】
また、従来の小分け容器では、取り出した豆腐をさらに小分けし易くすることまでは配慮されていない。このため、容器から取り出した豆腐をさらに小分けする場合、目分量で分割せざるを得ないことから、分けた後に大きさや形に不揃いが生じて盛り付けの見栄えが悪くなるといった不都合があった。
【００１１】
本考案は、係る点に鑑みて創案されたものであり、その目的とするところは、小分けに対応することができ、容器から取り出した食品をさらに小分けする場合、等分ずつ同一形状に分けることができ盛り付けの見栄えを良くすることができる上、各等分ずつに別けられても個々の食品の上面に凹陥部が確保されるゲル状食品用包装容器を提供することを目的とする。
【課題を解決するための手段】
【００１２】
上記した目的を達成するため、本考案に係るゲル状食品用包装容器は、開口部が底面よりもやや広く周壁に勾配がついた複数個の容器本体が、各容器本体の開口部の外周縁から延設された施蓋用鍔部を介して連結されるとともに、該施蓋用鍔部に形成された切断ガイド線から切断分離可能とされたゲル状食品用包装容器であって、前記容器本体の周壁には、前記開口部に沿って外方に広がる段部が形成される一方、前記容器本体の底面には、容器本体内に膨出する膨出部が少なくとも２ヶ所に亘って均等に形成されるとともに、前記容器本体内に突出する突条部が、前記底面の膨出部同士の中間から前記周壁の段部にかけて形成されたことを特徴とするものである。ここで、ゲル状食品とは、豆腐、プリン、ムース、杏仁豆腐、ゼリー等の食品をいう。
【００１３】
このようなゲル状食品用包装容器によれば、複数個の容器本体が、各容器本体の開口部の外周縁から延設された施蓋用鍔部を介して連結されるとともに、該施蓋用鍔部に形成された切断ガイド線から切断分離可能とされているため、例えば容器本体を２個連結した場合は、半分ずつの小分け容器とし、また容器本体を４個連結した場合は、四分の一ずつの小分け容器とすることができる。
【００１４】
また、容器本体の底面には、容器本体内に膨出する膨出部が少なくとも２ヶ所に亘って均等に形成されるとともに、容器本体内に突出する突条部が、底面の膨出部同士の中間から周壁の段部にかけて形成されているので、容器本体から取り出した食品にはその上面から周壁にかけて凹溝が形成される。したがって、容器本体から取り出した食品をさらに小分けする場合、凹溝に沿って切断するだけで、形状及び大きさを揃えることができ、見栄えのよい盛り付けをすることができるうえ、小分けしたものにおいてもそれぞれその上面に凹陥部が確保される。
【００１５】
さらに、容器本体の周壁には、開口部に沿って外方に広がる段部が形成されているから、スタック状態において、各容器の施蓋用鍔部同士の間に段部の高さに相当する隙間が形成される。したがって、食品製造装置への容器の装填工程でその隙間に装填機構の取出係止部を挿入することができ、スタック状態にある多数個の包装容器から１個ずつ取り出すことができる。
【００１６】
上記ゲル状食品用容器において、前記周壁は複数のコーナー部を有し、該コーナー部における前記段部に外方に突出する突出部が形成されていてもよい。
【００１７】
この場合、スタック状態において、不測に各容器の容器本体同士が完全に嵌まり合って施蓋用鍔部同士の間に隙間が形成されなくなるといった虞を確実に排除することができる。
【考案の効果】
【００１８】
本考案によれば、小分けに対応することができ、容器から取り出した食品をさらに小分けする場合、等分ずつ同一形状に分けることができ盛り付けの見栄えを良くすることができる上、各等分ずつに別けられても個々の食品の上面に凹陥部が確保されるゲル状食品用包装容器を提供することができる。
【図面の簡単な説明】
【００１９】
【図１】本考案の一実施形態に係るゲル状食品用包装容器を底面側から視た斜視図である。
【図２】図１に示すゲル状食品用包装容器を開口部側から視た斜視図である。
【図３】図１に示すゲル状食品用包装容器を開口部側から視た平面図である。
【図４】図１に示すゲル状食品用包装容器のスタック状態を示す断面図である。
【図５】図１に示すゲル状食品用包装容器のスタック状態において、図３に示すＶ−Ｖ線に沿う部分断面図である。
【図６】図１に示すゲル状食品包装容器から取り出された食品を示す斜視図である。
【考案を実施するための形態】
【００２０】
以下、本考案に係るゲル状食品用包装容器（以下、単に包装容器ともいう。）の一実施形態について、図面を参照して説明する。
【００２１】
図１は、本考案の一実施形態に係るゲル状食品用包装容器を底面側から視た斜視図、図２は、同包装容器を開口部側から視た斜視図、図３は、同包装容器を開口部側から視た平面図、図４は、同包装容器のスタック状態を示す断面図、図５は、同包装容器のスタック状態において、図３に示すＶ−Ｖ線に沿う部分断面図、図６は、同包装容器から取り出された食品を示す斜視図である。
【００２２】
この包装容器は、豆腐、プリン、ムース、杏仁豆腐、ゼリー等のゲル状食品の包装に使用されるものであり、従来より、この種のゲル状食品の包装に好適な公知の合成樹脂から成形されたものである。
【００２３】
本実施形態の包装容器１は、開口部２が底面３よりもやや広く周壁４に勾配がついた４個の容器本体１Ａが、各容器本体１Ａの開口部２の外周縁から延設された施蓋用鍔部５を介して連結されており、施蓋用鍔部５に形成された切断ガイド線６から切断分離可能とされている。各容器本体１Ａは、それぞれ４つのコーナー部７を有し、全体として略截頭角錐形状を呈している。切断ガイド線６は、図示例のようなミシン目でも、或いは施蓋用鍔部５同士の境界部分を他の部分より薄くした薄肉部でもよい。
【００２４】
なお、図中の符号８は、包装容器１の四隅における施蓋用鍔部５の角部に形成された、封止フィルム剥離用段部を示す。この封止フィルム剥離用段部８が形成されていることにより、開口部２を封止するフィルム（図示省略）がこの部分で浮くので、この浮いた個所から封止フィルムを指先で摘んで施蓋用鍔部５から容易に引き剥がすことができる。
【００２５】
容器本体１Ａの周壁には、開口部２に沿って外方に広がる段部９が形成されている。この段部９が形成されていることにより、図４に示すように、スタック状態において、各包装容器１の施蓋用鍔部５同士の間に段部９の高さに相当する隙間Ｓが形成される。したがって、食品製造装置への包装容器１の装填工程でその隙間に装填機構の取出係止部を挿入することができ、スタック状態にある多数個の包装容器１から１個ずつ取り出すことができる。
【００２６】
また、コーナー部７における段部９には外方に突出する突出部１０が形成されている。このように突出部１０が形成されている場合、図５に示すように、突出部１０の下面が施蓋用鍔部５の上面と確実に当接することになるので、スタック状態において、不測に各包装容器１の容器本体１Ａ同士が完全に嵌まり合って施蓋用鍔部５同士の間に隙間Ｓが形成されなくなるといった虞を確実に排除することができる。
【００２７】
さらに、容器本体１Ａの底面３には、容器本体１Ａ内に膨出する膨出部１１が２ヶ所に亘って均等に形成されている。この膨出部１１は、容器本体１Ａ内の食品の上面に凹陥部Ｃを形成するためのものである。この実施形態では、膨出部１１は、図１及び図３に示すように、外形形状が略方形を呈するドーム状に形成されているが、これに限定されず、例えば外形形状が円形や楕円形、或いは三角形や五角形以上の多角形を呈するものであってもよい。
【００２８】
また、膨出部１１同士の中間から周壁４の段部９にかけて容器本体１Ａ内に突出する突条部１２が形成されている。この突条部１２は、図６に示すように、容器本体１Ａ内の食品Ｆの上面Ｕから周壁Ｗにかけて凹溝Ｇを形成するためのものである。このように形成された突条部１２により、本実施形態では容器本体１Ａから取り出された食品Ｆにおいて、これを均等に２分する位置に凹溝Ｇが形成されることとなる。したがって、容器本体１Ａから取り出した食品Ｆをさらに小分けする場合、凹溝Ｇに沿って切断するだけで、食品の形状及び大きさを揃えることができ、見栄えのよい盛り付けをすることができるうえ、小分けしたものにおいてもそれぞれその上面Ｕに凹陥部Ｃが確保される。そして食する場合、凹陥部Ｃに液体調味料が溜まり周囲に流れ出ないため、液体調味料を無駄に使用することがない。
【００２９】
以上のようになる包装容器１を使用して例えば充填豆腐を作る場合は、容器本体１Ａ内にそれぞれ一丁の四分の一に相当する量の豆乳と凝固剤とを一緒に流し込んでから空気を排除しながら開口部を合成樹脂製の封止フィルムで封止し、その後加熱して固めるといった一連の工程が行われる。
【００３０】
なお、以上説明した実施形態では、容器本体１Ａは全体形状が略截頭角錐形状を呈しているが、これに限らず、食品の種類に適した形状とすればよい。また、容器本体１Ａの数は上記したような４個に限らず、２個又は３個或いは５個以上であってもよい。
【産業上の利用可能性】
【００３１】
本考案は、充填豆腐の包装は勿論のこと、シロップや生クリームを掛けて食するプリンやムース、蜜を掛けて食する杏仁豆腐等、各種液体調味材を掛けて食する食品の包装に利用できる。
【符号の説明】
【００３２】
１    ゲル状食品包装容器
１Ａ  容器本体
２    開口部
３    底面
４    周壁
５    施蓋用鍔部
６    切断ガイド線
７    コーナー部
９    段部
１０  突出部
１１  膨出部
１２  突条部
【図１】
0003190593.tif 000003
【図２】
0003190593.tif 000004
【図３】
0003190593.tif 000005
【図４】
0003190593.tif 000006
【図５】
0003190593.tif 000007
【図６】
0003190593.tif 000008